(57)【特許請求の範囲】
【請求項１】
地下ピットと昇降フレームと昇降装置と止水部を備え、
前記地下ピットは、前記昇降フレームを収めており、
前記昇降フレームは、支柱と上部プレートと下部プレートを有し、前記上部プレートは前記支柱により前記下部プレートに支えられたフレーム構造を有し、
前記上部プレートは、前記地下ピットの開口より大きく、
前記昇降装置は、前記昇降フレームを昇降し、前記昇降フレームを下降したときに、前記地下ピットの前記開口を前記上部プレートで塞ぐまで下降でき、
前記止水部は、シール材とシール材受け部を備え、
前記シール材は、前記上部プレートで前記地下ピットの前記開口を塞いだときに、前記開口より外側であって、前記上部プレートの縁より所定距離内側の下面に設けられ、
前記シール材受け部は、前記地下ピットの前記開口の外側に設けられ、前記上部プレートが前記地下ピットの前記開口を塞いだときに、前記シール材を収めるように設けられており、
前記シール材受け部の底面には、水抜孔が設けられ、前記シール材受け部の下には、排水層が設けられていることを特徴とする格納装置。
【請求項２】
前記シール材は、前記上部プレートが前記地下ピットの前記開口を塞いだときに、前記シール材受け部の底面と側面をシールすることを特徴とする請求項１の格納装置。
【発明の詳細な説明】
【技術分野】
【０００１】
本発明は、荷物や車等を地下ピットに格納する格納装置に関する。
【背景技術】
【０００２】
地下ピットを利用し、荷物や車を格納する装置は、特許文献１のように周知である。
【先行技術文献】
【特許文献】
【０００３】
【特許文献１】特許第３７６２６１７号公報
【発明の概要】
【発明が解決しようとする課題】
【０００４】
近年、水害が多発している中、特許文献１等の従来の格納装置はその対策が施されてこなかった。水位が地下ピットの開口の高さを超えると、水が地下ピット内に流入し、地下ピット内の車や荷物が浸水することがあった。
【０００５】
本発明は、地下ピットを浸水から守る新規な止水部を有する格納装置を提供することを目的とする。
【課題を解決するための手段】
【０００６】
本発明は、地下ピットと昇降フレームと昇降装置と止水部を備え、前記地下ピットは、前記昇降フレームを収めており、前記昇降フレームは、支柱と上部プレートと下部プレートを有し、前記上部プレートは前記支柱により前記下部プレートに支えられたフレーム構造を有し、前記上部プレートは、前記地下ピットの開口より大きく、前記昇降装置は、前記昇降フレームを昇降し、前記昇降フレームを下降したときに、前記地下ピットの前記開口を前記上部プレートで塞ぐまで下降でき、前記止水部は、シール材とシール材受け部を備え、前記シール材は、前記上部プレートで前記地下ピットの前記開口を塞いだときに、前記開口より外側であって、前記上部プレートの縁より所定距離内側の下面に設けられ、前記シール材受け部は、前記地下ピットの前記開口の外側に設けられ、前記上部プレートが前記地下ピットの前記開口を塞いだときに、前記シール材を収めるように設けられており、前記シール材受け部の底面には、水抜孔が設けられ、前記シール材受け部の下には、排水層が設けられていることを特徴とする格納装置とすることで課題を解決した。
【図面の簡単な説明】
【０００７】
【図１】昇降装置の説明図（Ａ）  昇降フレームが下限まで下降し、上部プレートが地下ピットの開口を塞いだ状態の説明図（Ｂ）  昇降フレームが上昇し始めた状態の説明図（Ｃ）  昇降フレームが上限まで上昇し、下部プレートが地下ピットの開口と同じ高さまで上昇した状態の説明図
【図２】地下ピットの周辺の構造物を示す平面図
【図３】図２のＡ−Ａの断面図
【図４】止水部の説明図（Ａ）  上部プレートが地下ピットの開口を塞ぐ前の状態の説明図（Ｂ）  シール材がシール材受け部に収まり、シール材受け部底面に接触した状態の説明図（Ｃ）  上部プレートが地下ピットの開口を塞いだ状態の説明図
【図５】（Ａ）昇降フレームの説明図       （Ｂ）ガイド機構の説明図
【発明を実施するための形態】
【０００８】
（実施例）
（昇降装置および地下ピット）
以下、図面を使って説明するが、以下の図面は説明を目的に作成されたもので、説明に不要な部材を意図的に図示していなかったり、また、部材を意図的に大きくまたは小さく図示したりしており、正確な縮尺を示す図面ではない。
図１は、昇降装置４４の説明図である。図１（Ａ）には、昇降フレーム４が下限まで下降し、上部プレート４１が地下ピット１の開口１３を塞いだ状態が図示されている。昇降装置４４は、昇降フレーム４を昇降し、昇降フレーム４を下降したときに、前記地下ピット１の開口１３を上部プレート４１で塞ぐまで下降できる。図示されているように、格納装置Ｋは、少なくとも地下ピット１、昇降フレーム４、昇降装置４４及び止水部３を備えている。
昇降フレーム４は、以下に「（昇降フレーム）」という項目を設けて詳細に後述するが、支柱４３と上部プレート４１と下部プレート４２を有し、上部プレート４１は支柱４３により下部プレート４２に支えられたフレーム構造となっている。昇降フレーム４を昇降できるのであれば、昇降装置４４は如何なるものであってもよい。油圧、電動など駆動源を問わない。実施例では、リンク機構を採用しているが、ピニオンラックのように、直線的に昇降フレーム４を昇降させるものであってもかまわない。実施例は、昇降装置４４の一例に過ぎない。
また、地下ピット１の下部には、第１排水管１５が設けてあり、地下ピット１内に雨水が浸入するという万が一の事態に備えて、侵入した雨水を排水ポンプ１６で排水できるようになっている。
図１（Ｂ）は、昇降フレーム４が上昇し始めた状態の説明図である。図１（Ａ）では、止水部３と図示されていたものが、図１（Ｂ）では、シール材３１とシール材受け部３２に分離している。止水部３は、シール材３１とシール材受け部３２とで構成されており、シール材受け部３２は、地下ピット１の開口１３の外側に設けられ、上部プレート４１が地下ピット１の開口１３を塞いだとき（図１（Ａ）の状態）に、シール材３１を収めるように設けられている。
図１（Ｃ）は、昇降フレーム４が上限まで上昇し、下部プレート４２が地下ピット１の開口１３と同じ高さまで上昇した状態の説明図であり、下部プレート４２が、地下ピット１の開口１３と同じ高さまで上昇することで、下部プレート４２に積載された車両等は、地下ピット１から出ることができる。
【０００９】
（地下ピット周辺の構造物）
図２は、格納装置Ｋの地下ピット１周辺の構造物を示す平面図であり、説明のため上部プレート４１を閉鎖したときの上部プレート４１の縁４１１も付記してある。地下ピット１は、開口１３を有しており、周囲をコンクリート等で作られた地下ピット壁１２（太線）で囲まれている。図示していないが、底面にはコンクリート等で作られた底壁が設けられている。
地下ピット壁１２の外側には、Ｕ字溝などの排水溝２（一点鎖線）が設置されている。さらに、排水溝２の外側には、後述するシール材３１を収めるシール材受け部３２（直線）が設けられている。排水溝２は、地下ピット１の開口１３の外側に、四周にわたり設けられている。
また、説明のため上部プレート４１を閉鎖したときの上部プレート４１の外縁４１１（鎖線）が図示されており、上部プレート４１は、地下ピット１の開口１３より大きく、開口１３を完全に塞ぐ大きさであることが観て取れる。
また、地下ピット１の四隅には、ガイド柱４５が設けられている。
【００１０】
図３は、図２のＡ−Ａの断面図である。地下ピット壁１２で囲まれた地下ピット１内には、昇降フレーム４の一部を構成する上部プレート４１を支える支柱４３が設けられており、昇降フレーム４は、図示されていない昇降装置４４で昇降できるようになっている。また、地下ピット１の開口１３の外には、開口１３の四周を囲むシール材受け部３２と排水溝２が、設けられている。
排水溝２には、グレーチング２１が被せてあり、人や車両等が排水溝２に落下することを防ぐ。グレーチング２１から流れ込んだ雨水は、図３の[排水溝の排水構造を示す説明図]で示されているように、排水溝２に流れ込み、第２排水管２２を通って雨水桝２４へと排水されるようになっている。もっとも、排水溝２に溜まった水の排水手段は任意であり、動力を使って排水してもよい。
【００１１】
（シール材）
ゴム等の弾性材料のシール材３１が、上部プレート４１の縁４４１より所定距離４１３内側の下面４１２に、上部プレート４１四周にわたり設けられている。シール材３１は上部プレート４１の下面４１２であって、かつ、上部プレート４１の縁４４１より所定距離４１３内側に設けられていることにより、シール材３１の劣化の原因となる太陽光が直接シール材３１に当たることを防いでいる。これにより、シール材３１の寿命を延ばすことができる。
シール材３１の取付け構造は、図３の[拡大図]に示すように、板状の取付片３１１を一対溶接等で取付け、シール材３１を一対の取付片３１１の間に嵌装し、ボルトおよびナット等の取付具３１２により上部プレート４１の下面４１２に取り付けている。
シール材３１の取付構造は任意であり、実施例は一例に過ぎない。
【００１２】
（シール材受け部）
上部プレート４１が地下ピット１の開口１３を塞いだ時に、シール材３１を受けるのが、シール材受け部３２である。シール材受け部３２は、実施例では溝で構成されており、内部に折り曲げ加工したステンレス鋼板等で作られることが好ましいが、単なるコンクリートで形成した溝であってもよい。
シール材受け部３２の底面には、図３の[シール材受け部の平面図]で示されるように水抜孔３２３が開設されている。シール材受け部３２の下には、砕石層３２５（排水層）が設けられており、シール材受け部３２に雨水が溜まったとしても、水抜孔３２３から地下の砕石層３２５（排水層）に排水されるように構成されている。砕石層３２５に代えて、多孔質材料など適宜な排水層を採用することもできる。水抜孔３２３は、単数でもよいが、複数設けることにより排水を促進することができる。
シール材受け部３２は、図２に記載のように、地下ピット１の開口１３の四周にわたって設けられ、上部プレート４１で地下ピット１の開口１３を塞いだときに、シール材３１を収めるような位置関係に配置されている。
【００１３】
（止水部）
図４は、止水部３の説明図である。止水部３は、シール材３１とシール材受け部３２とで構成されている。図４（Ａ）は、上部プレート４１が地下ピット１の開口１３を塞ぐ前の状態の説明図であり、シール材３１は、上部プレート４１の下面４１２に取付片３１１と取付具３１２で取り付けられている。鎖線は取付具３１２（実施例ではボルト）の両外縁の幅を示しており、シール材受け部３２の開口幅は、取付具３１２の両外縁よりも幅がやや広く設計されている。
図４（Ｂ）は、シール材３１がシール材受け部３２に収まり、シール材受け部３２の底面３２６に接触した状態の説明図である。前述したようにシール材受け部３２の開口幅が、取付具３１２の両外縁よりも幅がやや広く設計されているため、シール材受け部３２は、シール材３１を取付具３１２ごとスムーズに収めることができる。
図４（Ｂ）の状態からさらに上部プレート４１が下降し、上部プレート４１が地下ピット１の開口１３を塞いだ状態の説明図が図４（Ｃ）である。シール材３１の高さは、シール材受け部３２の深さより高く設定されており、シール材３１がシール材受け部３２の底面３２６と当接してもさらに昇降フレーム４が下降するためシール材３１は圧縮され、シール材受け部３２の底面３２６を完全にシールする。
好ましくは、図４（Ｃ）のように、シール材受け部３２の側面３２７にも圧縮され変形したシール材３１が当接し、側面３２７もシールできるようにすると、より止水性が向上する。
【００１４】
シール材３１がシール材受け部３２に収まりシール材受け部３２の底面３２６をしっかりとシール材３１がシールしているときには、前述した水抜孔３２３は機能しない。しかし、何らかの原因で、シール材３１が機能しなくなった時（例えば、ゴミ等がシール材受け部３２にはまり込んで、シール材３１がしっかりとシール材受け部３２の底面３２６と接触できなくなった場合等）、侵入した雨水を水抜孔３２３から排水することで、地下ピット１を守る。
また、水抜孔３２３を設けない場合、下部プレート４２を地下ピット１の開口１３に持ち上げたときに雨が降った場合など、シール材受け部３２に雨水が溜まることがある。このような場合、溜まった雨水が蒸発するのを待つ他なく、ボウフラが湧くなど、衛生的にも好ましくない。水抜孔３２３は、シール材受け部３２を乾燥状態に保つのに役立つ。
【００１５】
（昇降フレーム）
図５（Ａ）は、昇降フレーム４の説明図である。昇降フレーム４は、支柱４３と上部プレート４１と下部プレート４２を有し、上部プレート４１は支柱４３により下部プレート４２に支えられたフレーム構造を有している。支柱４３と下部プレート４２との取付位置や支柱４３の本数は任意である。
図２に図示されているように、地下ピット１の四隅には、ガイド柱４５が立設されている。ガイド柱４５は、上部プレート４１が地下ピット１の開口１３を塞いだ時に当接しないよう、ガイド柱４５の上端が開口１３より突出しない方が好ましい。
図５（Ｂ）は、ガイド機構の説明図である。上部プレート４１または下部プレート４２に積載した車両等の荷重の偏りにより昇降フレーム４が傾く等の原因で正確に上下に昇降できないと、シール材３１がシール材受け部３２に収まらないことが起き得る。実施例には、ガイド溝４６を一面に備えたガイド柱４５と、ガイド溝４６に嵌る下部プレート４２の下面に取り付けられたガイドローラ４７で構成されるガイド機構が備わっている。下部プレート４２がガイド機構により案内されることで昇降フレーム４は傾かず、昇降が正確に行われるようになる。
もっとも、ガイド機構を設けることは、本発明の実施態様の一つに過ぎず、ガイド機構は必須のものではない。
【００１６】
（実施例の止水作用）
以上で説明したように、上部プレート４１で地下ピット１の開口１３を塞ぐことで、地下ピット１に侵入しようとする雨水は、止水部３で侵入を阻止される（第１の対策）。仮に、止水部３で雨水の侵入を阻止できなかった場合、排水溝２に雨水は導かれ、第２排水管２２から雨水桝２４へ排水される（第２の対策）。さらに、排水溝２で雨水の侵入を阻止できなかった場合、地下ピット１の底部に設けられた第１排水管１５を介して排水ポンプ１６により排水する（第３の対策）。本発明の実施例においては、雨水侵入に対する３つの対策を施すことで、浸水から地下ピット１を守る。
【００１７】
実施例は、上部プレート４１で前記地下ピット１の開口１３を塞いだときに、シール材受け部３２にシール材３１を収めることで、止水作用をもたらすものである。
近年、突然大雨が局地的に降ることが多発している。そのため、昇降フレーム４を上昇させた場合、上部プレート４１で地下ピット１の開口１３を塞ぐよう報知するなどして、使用者に常に地下ピット１を閉塞する操作を促すようにしてもよい。
【００１８】
以上、本発明の実施例について図面を参照して、多様な実施形態について詳述してきたが、具体的な構成は、実施例やこれらの実施形態に限られるものではなく、本発明の要旨を逸脱しない範囲の設計の変更等があっても本発明に含まれる。
【００１９】
また、前述の実施例や各実施形態は、その目的及び構成等に特に矛盾や問題がない限り、互いの技術を流用して組み合わせることが可能である。
【符号の説明】
【００２０】
Ｋ        格納装置
１        地下ピット
１２      地下ピット壁
１３      開口
１５      第１排水管
１６      排水ポンプ
２        排水溝（Ｕ字溝）
２１      グレーチング
２２      第２排水管
２４      雨水桝
３        止水部
３１      シール材
３１１    取付片
３１２    取付具
３２      シール材受け部
３２３    水抜孔
３２５    砕石層
３２６    底面
３２７    側面
４      昇降フレーム
４１    上部プレート
４１１  縁
４１２  下面
４１３  所定距離
４２    下部プレート
４３    支柱
４４    昇降装置
４５    ガイド柱
４６    ガイド溝
４７    ガイドローラ
【要約】      （修正有）【課題】本発明は、地下ピットを水から守る新規な止水部を有する格納装置を提供することを目的とする。【解決手段】地下ピット１と昇降フレームと昇降装置と止水部を備え、地下ピット１は、昇降フレームを収めており、昇降フレームは、支柱４３と上部プレート４１と下部プレートを有し、上部プレート４１は支柱により下部プレートに支えられたフレーム構造を有し、昇降装置は、昇降フレームを昇降し、地下ピット１の開口１３を上部プレート４１で塞ぐまで下降でき、止水部は、シール材３１とシール材受け部３２を備え、シール材３１は、開口１３より外側であって、上部プレート４１の縁より所定距離４１３内側の下面４１２に、四周にわたり設けられ、シール材受け部３２は、地下ピット１の開口１３の外側に設けられ、シール材３１を収めるように設けられていることを特徴とする格納装置。【選択図】図３【図１】
0006905283.tif 000002
【図２】
0006905283.tif 000003
【図３】
0006905283.tif 000004
【図４】
0006905283.tif 000005
【図５】
0006905283.tif 000006